(57)【要約】      （修正有）【課題】就寝者にまぶしさを感じさせることなく、生体リズムを考慮して心地よい目覚めをもたらすことができる目覚まし装置を提供する。【解決手段】起床希望時刻を設定する設定手段２と、低照度光と中照度光と高照度光の少なくとも三種の照度の光を発生する光発生手段３と、設定された起床希望時刻に応じて光発生段３が発生する光の照度を低照度、中照度、高照度の順に変化させるとともに、光発生手段３は、就寝者から直接見えない位置に配される第一の光発生手段３１と、就寝者から直接見える位置に配される第二の光発生手段３２を有しており、低照度から中照度へ変化する場合には、第一の光発生手段３１が光を発生し、中照度から高照度へ変化する場合には、第一の光発生手段３１及び第二の光発生手段３２が光を発生する。【選択図】図１
2007147361.tif 000002
【特許請求の範囲】
【請求項１】
起床希望時刻を設定するための設定手段と、低照度光と中照度光と高照度光の少なくとも三種の照度の光を発生する光発生手段と、設定された起床希望時刻に応じて光発生手段を動作させて光発生手段が発生する光の照度を低照度、中照度、高照度の順に変化させるとともに低照度から中照度への照度変化を緩やかに、中照度から高照度への照度変化を急速に行う制御手段とを備えていることを特徴とする目覚まし装置であって、光発生手段は、就寝者から直接見えない位置に配されている第一の光発生手段と、就寝者から直接見える位置に配されている第二の光発生手段を有しており、低照度から中照度へ照度変化する場合には、第一の光発生手段が光を発生し、中照度から高照度へ照度変化する場合には、第一の光発生手段及び第二の光発生手段が光を発生することを特徴とする目覚まし装置。
【請求項２】
中照度から高照度へ照度変化する場合の就寝者が感じる輝度が２００００ｃｄ／ｍ2以下であることを特徴とする請求項１に記載の目覚まし装置。
【請求項３】
光発生手段が発光ダイオードを含むものであることを特徴とする請求項１又は２に記載の目覚まし装置。
【請求項４】
ヘッドボードを有しており、光発生手段がヘッドボードの内側に備えられたことを特徴とする請求項１〜３のいずれかに記載の目覚まし装置。
【発明の詳細な説明】
【技術分野】
【０００１】
本発明は、起床希望時刻を設定するための設定手段と、低照度光と中照度光と高照度光の少なくとも三種の照度の光を発生する光発生手段と、設定された起床希望時刻に応じて光発生手段を動作させて光発生手段が発生する光の照度を低照度、中照度、高照度の順に変化させるとともに低照度から中照度への照度変化を緩やかに、中照度から高照度への照度変化を急速に行う制御手段とを備えていることを特徴とする目覚まし装置に関するものである。
【背景技術】
【０００２】
従来から、起床希望時刻を設定するための設定手段と、低照度光と中照度光と高照度光の少なくとも三種の照度の光を発生する光発生手段と、設定された起床希望時刻に応じて光発生手段を動作させて光発生手段が発生する光の照度を低照度、中照度、高照度の順に変化させるとともに低照度から中照度への照度変化を緩やかに、中照度から高照度への照度変化を急速に行う制御手段とを備えていることを特徴とする目覚まし装置として特開平０７−３１８６７０号公報（特許文献１）に記載されている技術が知られている。
【０００３】
これは、起床希望時刻の３０〜６０分前の時点から、就寝者の顔面を直接照らすことができない位置に配されている低照度光発光部からの光により、就寝者の顔面の照度を０〜２００ｌｘへ漸増させ、次いで起床希望時刻の５〜１０分前の時点から、就寝者の顔面を直接照らすことができる位置に配されている高照度光発光部からの光により、就寝者の顔面の照度を漸増させ、さらに起床希望時刻の１分前以内の時点で、就寝者の顔面の照度を２０００ｌｘ以上とするもので、夜明け前の状態から夜明け後の日射がある状態を模すことで生体リズムを考慮して心地よい目覚めをもたらすことを特徴とするものである。
【特許文献１】特開平０７−３１８６７０号公報
【発明の開示】
【発明が解決しようとする課題】
【０００４】
しかしながら、起床希望時刻の１分前以内の時点で、就寝者の顔面の照度を２０００ｌｘ以上とする場合には、高照度光発光部の輝度は相当なものとなり、結果として、就寝者がまぶしさを感じ、必ずしも心地よく目覚めることができない可能性もある。
【０００５】
さらに寝室に複数の寝台が設置された場合には、各々の就寝者の起床時刻が異なる場合が想定されるが、この場合に未だ起床時刻に至っていない隣接する就寝者を刺激して彼らを不快感のある状態で目覚めさせる可能性もある。
【０００６】
本願発明は、上記背景技術に鑑みてなされたものであり、その課題は、就寝者にまぶしさを感じさせることなく、生体リズムを考慮して心地よい目覚めをもたらすことができる目覚まし装置を提供することである。また、寝室に複数の寝台が設置された場合にも、未だ起床時刻に至っていない隣接する就寝者を刺激することの目覚まし装置を提供することである。
【課題を解決するための手段】
【０００７】
上記課題を解決するために、請求項１に記載された発明は、起床希望時刻を設定するための設定手段と、低照度光と中照度光と高照度光の少なくとも三種の照度の光を発生する光発生手段と、設定された起床希望時刻に応じて光発生手段を動作させて光発生手段が発生する光の照度を低照度、中照度、高照度の順に変化させるとともに低照度から中照度への照度変化を緩やかに、中照度から高照度への照度変化を急速に行う制御手段とを備えていることを特徴とする目覚まし装置であって、光発生手段は、就寝者から直接見えない位置に配されている第一の光発生手段と、就寝者から直接見える位置に配されている第二の光発生手段を有しており、低照度から中照度へ照度変化する場合には、第一の光発生手段が光を発生し、中照度から高照度へ照度変化する場合には、第一の光発生手段及び第二の光発生手段が光を発生することと特徴とする目覚まし装置である。
【０００８】
また請求項２に記載された発明は、中照度から高照度へ照度変化する場合の就寝者が感じる輝度が２００００ｃｄ／ｍ2以下であることを特徴とする請求項１に記載の目覚まし装置である。
【０００９】
また請求項３に記載された発明は、光発生手段が発光ダイオードを含むものであることを特徴とする請求項１又は２に記載の目覚まし装置である。
【００１０】
また請求項４に記載された発明は、ヘッドボードを有しており、光発生手段がヘッドボードの内側に備えられたことを特徴とする請求項１〜３のいずれかに記載の目覚まし装置である。
【００１１】
ここで、ヘッドボードとは、寝台の頭部に設置する家具のことをいう。
【発明の効果】
【００１２】
請求項１に記載された発明によれば、光発生手段は、就寝者から直接見えない位置に配されている第一の光発生手段と、就寝者から直接見える位置に配されている第二の光発生手段を有しており、低照度から中照度へ照度変化する場合には、第一の光発生手段が光を発生し、中照度から高照度へ照度変化する場合には、第一の光発生手段及び第二の光発生手段が光を発生するので、就寝者の顔面の照度を必要な水準とする一方で、その一部を第一の光発生手段が担っているので、就寝者の顔面を照らす第二の光発生手段の輝度を低減することができ、就寝者がまぶしさを感じることが少なくなる。
【００１３】
請求項２に記載された発明によれば、中照度から高照度へ照度変化する場合の就寝者の顔面で感じる輝度が２００００ｃｄ／ｍ2以下であるので、就寝者がまぶしさを感じることをより確実に低減することができる。
【００１４】
請求項３に記載された発明によれば、光発生手段が発光ダイオードを含むものであるので、光発生手段からの光の指向性が高く、就寝者への顔面への照射の制御が容易となる一方、寝室に複数の寝台が設置された場合にも、未だ起床時刻に至っていない隣接する就寝者への光の照射を低減することができ、隣接する就寝者を刺激することが低減される。
【００１５】
請求項４に記載された発明によれば、光発生手段がヘッドボードの内側に備えられたので、光発生手段からの光がヘッドボードの枠体から漏れにくくなり、寝室に複数の寝台が設置された場合にも、未だ起床時刻に至っていない隣接する就寝者への光の照射をさらに確実に低減することができ、隣接する就寝者を刺激することが一層低減される。
【発明を実施するための最良の形態】
【００１６】
本願発明の一実施形態として、本願の請求項１〜４に対応した目覚まし装置１について図１により説明する。
【００１７】
本実施形態の目覚まし装置１は、図１に示す如く、起床希望時刻を設定するための設定手段２と、低照度光と中照度光と高照度光の少なくとも三種の照度の光を発生する光発生手段３と、設定された起床希望時刻に応じて光発生手段を動作させて光発生手段が発生する光の照度を低照度、中照度、高照度の順に変化させるとともに低照度から中照度への照度変化を緩やかに、中照度から高照度への照度変化を急速に行う制御手段４とを備えていることを特徴とする目覚まし装置１であって、光発生手段３は、就寝者から直接見えない位置に配されている第一の光発生手段３１と、就寝者から直接見える位置に配されている第二の光発生手段３２を有しており、低照度から中照度へ照度変化する場合には、第一の光発生手段３１が光を発生し、中照度から高照度へ照度変化する場合には、第一の光発生手段３１及び第二の光発生手段３２が光を発生することと特徴とする。
【００１８】
また、中照度から高照度へ照度変化する場合の就寝者が感じる輝度が２００００ｃｄ／ｍ2以下であることを特徴とする
また、光発生手段２が発光ダイオードを含むものであることを特徴とする
さらに、ヘッドボード５を有しており、光発生手段３がヘッドボード５の内側に備えられたことを特徴とする。
【００１９】
以下、本実施形態による目覚まし装置１を、より具体的詳細に説明する。
【００２０】
最初に、目覚まし装置１であるが、これは設定手段２と、光発生手段３と、制御手段４とで、構成され、寝台６の枕元側に光発生手段３が備えられることとなる。また光発生手段は、第一の光発生手段３１と第二の光発生手段３２とで構成され、これらはいずれも寝台６の枕元側に設けられたヘッドボード５の内側に備えられている。
【００２１】
設定手段２は、デジタル式で希望起床時刻を設定するものであり、ここでの設定時刻が図示しない配線によって制御手段４へ送信される。
【００２２】
光発生手段３は、就寝者を覚醒、起床させるもので、夜明け前から夜明け後にかけての日射を再現し、就寝者の生体リズムを整えるとともに快適な目覚めを提供するものである。光発生手段３は、第一の光発生手段３１と、第二の光発生手段３２とで、構成されている。
【００２３】
第一の光発生手段３１は、薄型板状の筺体内部に複数の発光ダイオードを配置してなる長手方向が寝台６の幅と略同一である薄型板状の発光パネルであって、寝台６の枕元側であって寝台６の就寝面よりも２６２〜３４４ｍｍの高さに、発光面が就寝面と略直交となる位置となるように備えられている。このため、第一の光発生手段３１からの光は就寝者から直接見えなくなるのである。
【００２４】
第一の光発生手段３１は、就寝者の顔面の照度を０〜１５０ｌｘとするように設定されている。
【００２５】
第二の光発生手段３２は、薄型板状の筺体内部に複数の放電灯を配置してなる長手方向が寝台６の幅と略同一である薄型板状の発光パネルであって、寝台６の枕元側であって寝台６の就寝面よりも１１４５〜１４４５ｍｍの高さに、発光面が就寝面と略平行となる位置となるように備えられている。このため、第二の光発生手段３２からの光は就寝者から直接見える位置で就寝者の顔面を照らすことができるのである。
【００２６】
第二の光発生手段３２の輝度は、就寝者の顔面の照度を０〜８５０ｌｘとするように設定されている。
【００２７】
制御部４は、マイクロプロセッサを主とするもので、図示しない計時手段を内蔵しており、これによる計時結果と、設定手段にて設定された希望起床時刻とに従って、光発生手段３の発光を制御するものである。
【００２８】
光発生手段３、すなわち第一の光発生手段３１と、第二の光発生手段３２と、の発光は、例えば図２〜６に示す如く、以下のように行われる。なお参考として、従来技術における発光を図７に示す。
【００２９】
すなわち、起床時刻の３０分前が覚醒動作開始時となるように設定されており、この覚醒動作開始時において、就寝者の顔面における照度が、覚醒動作開始時に０ｌｘより大きくかつ２３ｌｘ以下となるように第一の光発生手段３１を発光させる。
【００３０】
この後、起床時刻の１０分前まで覚醒動作開始時における光出力を維持し、又は光出力を漸増させ、起床時刻の１０分前において、第一の光発生手段３１を発光させたまま、第二の光発生手段３２を発光させ、就寝者の顔面における照度が、４０ｌｘ以下となるようにする。起床時刻の１０分前の前後で第二の光発生手段３２からの光出力の増加速度が変化するものとなる。
【００３１】
さらに、起床時刻まで光出力を増加させ、起床時刻において、就寝者の顔面における照度が、１００ｌｘ以上となるまで第二の光発生手段３２による照度を増加させる。
【００３２】
以下、表１に示す調光制御プログラムで就寝者を覚醒させた結果として、本願発明の実施例１〜５、比較例１〜３について、説明する。
【００３３】
ここで表１は、各時点における就寝者の顔面の照度、輝度、光源の種類、ヘッドボードの有無と、就寝者及び隣接する就寝者の目覚め感、の代表データである。
【００３４】
【表１】
2007147361.tif 000003
【００３５】
ここで、就寝者及び隣接する就寝者の目覚め感については、主観評価実験にて評価した。
【００３６】
また、照度は、顔面照度を就寝者の両目の間の中心位置に、受光部を顔面に対して平行にして設置した照度計により測定した。起きたときの顔の状態が上だったら上方向に、右を向いていたら右方向に受光部を向けて測定した。輝度は、輝度計の測定基準点を視野内の最も輝度の高い位置に合わせて測定した。
【００３７】
以上に示すごとく、実施例１〜５と比較例１〜５との結果から明らかなように、本実施形態によれば、光発生手段３は、就寝者から直接見えない位置に配されている第一の光発生手段３１と、就寝者から直接見える位置に配されている第二の光発生手段３２を有しており、低照度から中照度へ照度変化する場合には、第一の光発生手段３１が光を発生し、中照度から高照度へ照度変化する場合には、第一の光発生手段３１及び第二の光発生手段３２が光を発生するので、就寝者の顔面の照度を必要な水準とする一方で、その一部を第一の光発生手段３１が担っているので、就寝者から直接見える第二の光発生手段３２の輝度を低減することができ、就寝者がまぶしさを感じることが少なくなる。
【００３８】
また、中照度から高照度へ照度変化する場合の就寝者が感じる輝度が２００００ｃｄ／ｍ2以下であるので、就寝者がまぶしさを感じることをより確実に低減することができる。特に輝度を10,000 cd/m2以下に設定すると、さらにまぶしさのレベルが大きく下がるので表１に示す通り、より不快感を低減できる。
【００３９】
また、光発生手段が発光ダイオードを含むものであるので、光発生手段３からの光の指向性が高く、就寝者への顔面への照射の制御が容易となる一方、寝室に複数の寝台が設置された場合にも、未だ起床時刻に至っていない隣接する就寝者への光の照射を低減することができ、隣接する就寝者を刺激することが低減される。
【００４０】
請求項４に記載された発明によれば、光発生手段３がヘッドボード５の内側に備えられたので、光発生手段３からの光がヘッドボード５の枠体から漏れにくくなり、寝室に複数の寝台が設置された場合にも、未だ起床時刻に至っていない隣接する就寝者への光の照射をさらに確実に低減することができ、隣接する就寝者を刺激することが一層低減される。
【図面の簡単な説明】
【００４１】
【図１】本願発明の一実施形態における目覚まし装置の斜視図
【図２】本願発明の一実施形態における目覚まし装置の発光状態（起床時刻の３０分前）を示す説明図
【図３】本願発明の一実施形態における目覚まし装置の発光状態（起床時刻の１０分前）を示す説明図
【図４】本願発明の一実施形態における目覚まし装置の発光状態（起床時刻の１０分前であって第二の光発生手段が発光を開始）を示す説明図
【図５】本願発明の一実施形態における目覚まし装置の発光状態（起床時刻１前以内）を示す説明図
【図６】本願発明の一実施形態における光発生手段による就寝者の顔面における照度の測定図
【符号の説明】
【００４２】
１      目覚まし装置
２      設定手段
３      光発生手段
３１    第一の光発生手段
３２    第二の光発生手段
４      制御手段
５      ヘッドボード
【図１】
2007147361.tif 000004
【図２】
2007147361.tif 000005
【図３】
2007147361.tif 000006
【図４】
2007147361.tif 000007
【図５】
2007147361.tif 000008
【図６】
2007147361.tif 000009